(57)【要約】【課題】視野角による色調変化が少ない液晶表示装置及びそれに用いる面状光源装置を提供することができる。【解決手段】本発明にかかる液晶表示装置は発光色の異なるＲ（赤）、Ｇ（緑）、Ｂ（青）のＬＥＤ１を光源とする液晶表示装置である。ＬＥＤ１の発光面側にはＬＥＤ１からの光の角度分布を変えるアクリルレンズ２が設けられている。このアクリルレンズ２がＲ、Ｇ、ＢのＬＥＤ１によってそれぞれ異なる形状をしている。そして発光される光の角度分布がそれぞれのＬＥＤ１によって異なる分布をしており、液晶パネル６における視野角毎の透過率の波長依存性を打ち消す。【選択図】　図３
2004061693.tif 000002
【特許請求の範囲】
【請求項１】
発光色の異なる複数の光源と、
前記光源からの光を側面から入射し面全体に導く導光板を備える面状光源装置であって、
前記複数の光源からの光の出射角度が光源によって異なる分布を有する面状光源装置。
【請求項２】
前記光源の発光面側に光の進行方向を変える屈折部材を設け、
前記光源によって前記屈折部材が異なる形状を有する請求項１記載の面状光源装置。
【請求項３】
発光色の異なる複数の光源と、
前記光源からの光を側面から入射し面全体に導く導光板を備える面状光源装置であって、
前記光源によって前記導光板の側面の当該光源と相対する部分が異なる形状である面状光源装置。
【請求項４】
発光色の異なる複数の光源と、
前記光源からの光を側面から入射し面全体に導く導光板と、
前記複数の光源と前記導光板の間にプリズム板を備える面状光源装置であって、
前記光源によって前記プリズム板の当該光源と相対する部分が異なる形状である面状光源装置。
【請求項５】
前記複数の光源が赤色（Ｒ）、緑色（Ｇ）、青色（Ｂ）の発光ダイオードである請求項１乃至４いずれかに記載の面状光源装置。
【請求項６】
請求項１乃至５いずれかに記載の面状光源装置の発光面側に液晶層を狭持する２枚の基板を有する液晶パネルを備えた液晶表示装置。
【請求項７】
前記液晶パネルのおける視野角毎の透過率の波長依存性が、前記面状光源装置における視野角毎の輝度の波長依存性によって打ち消されるように光の出射角度分布を前記光源毎に変化させた請求項６記載の液晶表示装置。
【請求項８】
光源と、
前記光源からの光を側面から入射し面全体に導く導光板と、
前記光源と前記導光板の間に、波長によって光の出射角度の異なるホログラムシートを備える面状光源装置。
【請求項９】
光源と
前記光源からの光を側面から入射し面全体に導く導光板と、
前記導光板の発光面側に、波長によって光の出射角度の異なるホログラムシートを備えた面状光源装置。
【請求項１０】
請求項８又は９いずれかに記載の面状光源装置の発光面側に液晶層を狭持する２枚の基板を有する液晶パネルを備えた液晶表示装置。
【請求項１１】
前記液晶パネルにおける視野角毎の透過率の波長依存性が、前記面状光源装置における視野角毎の輝度の波長依存性によって打ち消されるように前記ホログラムシートを配置した請求項１０記載の液晶表示装置。
【発明の詳細な説明】
【０００１】
【発明の属する技術分野】
本発明は、面状光源装置及び液晶表示装置に関し、特には視野角特性の優れた液晶表示装置に関する。
【０００２】
【従来の技術】
液晶表示装置は、液晶層が狭持された２枚の基板からなる液晶パネルとその液晶パネルの裏面側に面状光源装置が設けられている。その液晶パネルには、液晶層が基板と垂直方向に偏光されるＴＮモードの液晶パネルがよく用いられている。
【０００３】
しかしＴＮモードの液晶パネルにおいては視野角に対して光の透過率が異なり、また波長によって光の透過率が異なるという問題点があった。図１０にＴＮモードの液晶パネルにおける水平方向の視野角毎の透過率の波長依存性を示す。図１０は横軸を波長、縦軸を液晶パネルの透過率としている。また正面における透過率（すなわち視野角が０度における透過率）を１と規格化したものであり、それぞれ、視野角が２０、４０、６０度の場合の透過率を示している。このように視野角が大きくなるにつれて、短波長側の透過率が長波長側の透過率に比べて相対的に低くなる。
【０００４】
また面状光源装置の光源としては、従来はその光源に線状の冷陰極管が用いられていたが、寿命の長さ及び発光の良さからＲ、Ｇ、Ｂ三色の発光ダイオード（以下、ＬＥＤとする）をそれぞれ複数配置した光源を用いるものもある。Ｒ、Ｇ、ＢそれぞれのＬＥＤからの光の出射角度の拡がりは各色のＬＥＤでほとんど差がない。このＬＥＤからの光の出射角度の拡がりが面状光源装置の視野角の拡がりに影響する。すなわちＬＥＤからの光の出射角度が拡がっているほど、広い視野角で表示される。従ってこのＬＥＤを用いた従来の面状光源装置における視野角毎の輝度の波長依存性は図１１（ａ）に示すように視野角が大きくなるにつれて輝度が弱くなるが、波長によってはほとんど変化がない。
【０００５】
従って、光源としてＬＥＤを用いた液晶表示装置の水平方向の視野角特性は図１０に示す液晶パネルの透過率と図１１（ａ）に示す面状光源装置の配光分布の積となる。この視野角毎の輝度の波長依存性を図１１（ｂ）に示す。同じ視野角から液晶表示装置を見た場合、長波長側の光に比べて短波長側の光の輝度が相対的に弱くなり、全体として赤色が強い色調となっていた。そして視野角が広くなる程、波長による輝度の差が大きく、色調が変化するといった問題点もあった。
【０００６】
【発明が解決しようとする課題】
このように、従来の液晶表示装置では、視野角によって色調変化が生じるといった問題点があった。
【０００７】
本発明は、このような問題点を解決するためになされたもので、視野角による色調変化が少ない液晶表示装置及びそれに用いる面状光源装置を提供することを目的とする。
【０００８】
【課題を解決するための手段】
本発明にかかる面状光源装置は発光色の異なる複数の光源（例えば、本発明の実施の形態におけるＬＥＤ１）と、前記光源からの光を側面から入射し面全体に導く導光板（例えば、本発明の実施の形態における導光板４）を備える面状光源装置であって、前記複数の光源からの光の出射角度が光源によって異なる分布を有するものである。これにより視野角による色調変化を制御することができる。
【０００９】
上述の面状光源装置の好適な実施の形態として前記光源の発光面側に光の進行方向を変える屈折部材を設け、前記光源によって前記屈折部材（例えば、本発明の実施の形態におけるアクリルレンズ２）が異なる形状を有する面状光源装置が挙げられる。これにより視野角による色調変化を制御することができる。
【００１０】
本発明にかかる面状光源装置は発光色の異なる複数の光源と、前記光源からの光を側面から入射し面全体に導く導光板を備える面状光源装置であって、前記光源によって前記導光板の側面の当該光源と相対する部分が異なる形状であるものである。これにより視野角による色調変化を制御することができる。
【００１１】
本発明にかかる面状光源装置は発光色の異なる複数の光源と、前記光源からの光を側面から入射し面全体に導く導光板と、前記複数の光源と前記導光板の間にプリズム板（例えば、本発明の実施の形態におけるプリズム板８）を備える面状光源装置であって、前記光源によって前記プリズム板の当該光源と相対する部分が異なる形状であるものである。これにより視野角による色調変化を制御することができる。
【００１２】
上記の面状光源装置において前記複数の光源が赤色（Ｒ）、緑色（Ｇ）、青色（Ｂ）の発光ダイオードを備えていてもよい。これにより視野角による色調変化を制御することができる。
【００１３】
本発明にかかる液晶表示装置は上述の面状光源装置の発光面側に液晶層を狭持する２枚の基板を有する液晶パネル（例えば、本発明の実施の形態における液晶パネル６）を設けたものである。これにより視野角による色調変化を制御することができる。
【００１４】
上述の液晶表示装置において前記液晶パネルのおける視野角毎の透過率の波長依存性が、前記面状光源装置における視野角毎の輝度の波長依存性によって打ち消されるように光の出射角度分布を前記光源毎に変化させることが望ましい。これにより視野角による色調変化を制御することができる。
【００１５】
本発明にかかる面状光源装置は光源（例えば、本発明の実施の形態における蛍光灯１０）と、前記光源からの光を側面から入射し面全体に導く導光板（例えば、本発明の実施の形態における導光板４）と、前記光源と前記導光板の間に、波長によって光の出射角度の異なるホログラムシート（例えば、本発明の実施の形態におけるホログラムシート１１）を備えるものである。これにより視野角による色調変化を制御することができる。
【００１６】
本発明にかかる面状光源装置は光源と前記光源からの光を側面から入射し面全体に導く導光板と、前記導光板の発光面側に、波長によって光の出射角度の異なるホログラムシートを備えるものである。これにより視野角による色調変化を制御することができる。
【００１７】
本発明にかかる液晶表示装置は上述の面状光源装置の発光面側に液晶層を狭持する２枚の基板を有する液晶パネルを備えるものである。これにより視野角による色調変化を少なくすることができる。
【００１８】
上述の液晶表示装置において前記液晶パネルにおける視野角毎の透過率の波長依存性が、前記面状光源装置における視野角毎の輝度の波長依存性によって打ち消されるように前記ホログラムシートを配置することが望ましい。これにより視野角による色調変化を少なくすることができる。
【００１９】
【発明の実施の形態】
発明の実施の形態１．
本発明にかかる液晶表示装置の構成について図１を用いて説明する。図１はＲ、Ｇ、ＢのＬＥＤを光源とする液晶表示装置の断面図であり、図２はＬＥＤの部分の拡大図である。１はＬＥＤ、３はリフレクター、４は導光板、５は反射シート、６は液晶パネル、７は光学シートである。また数字の後ろに付したＲ、Ｇ、Ｂのアルファベットはそれぞれ赤色（Ｒ）のＬＥＤ、緑色（Ｇ）のＬＥＤ、青色（Ｂ）のＬＥＤに対応する構成部品である。
【００２０】
Ｒ、Ｇ、ＢのＬＥＤ１は混色により白色光とするためそれぞれ複数配置されている。ＬＥＤ１Ｒは赤色（波長λ＝６００〜６８０ｎｍ程度）、ＬＥＤ１Ｇは緑色（λ＝５００〜６００ｎｍ程度）、ＬＥＤ１Ｂは青色（λ＝４３０〜５００ｎｍ程度）の光を発光する。この各色のＬＥＤ１から発光された光は直接またはリフレクター３によって反射して導光板４の側面に入射する。導光板４に入射された光は導光板４中で全反射を繰り返しながら伝播する。伝播過程で一部の光は出射面側に設けられた粗面で散乱され出射面より出射する。発光面と反対側に出射された光は反射シート５により反射され再び導光板４に入射される。
【００２１】
導光板４の発光面側から発光された光は、拡散シート、保護シート、レンズシート、導光板側または導光板から遠い側に凹凸を持つプリズムシート等からなる光学シート７を通過し液晶パネル６に入射される。液晶パネル６は液晶層を狭持するＣＦ基板とＴＦＴアレイ基板を備えている。ＣＦ基板はＲ、Ｇ、Ｂの着色層、遮光層（ＢＭ）等を備えており、ＴＦＴアレイ基板にはスイッチング素子及び画素電極を備えている。スイッチング素子による電圧のＯＮ、ＯＦＦによって液晶層が配向される。従って、液晶パネル６に到達した光は映像信号にあわせて変調され、Ｒ、Ｇ、Ｂ各色を表示する。
【００２２】
液晶パネル６における水平方向の視野角毎の透過率の波長依存性（視野角特性）を図１０に示す。図１０は横軸を波長、縦軸を液晶パネルの透過率としている。また正面における透過率（すなわち視野角が０度における透過率）を１と規格化したものであり、それぞれ、視野角が２０、４０、６０度の場合の透過率を示している。視野角が大きくなるにつれて、短波長側の透過率が長波長側の透過率に比べて相対的に低くなる。
【００２３】
ＬＥＤ１は導光板４の側面に一列に並んで配置している。各色のＬＥＤ１は均一な白色光が全体に発光されるように配置されている。また各色のＬＥＤ１は混色により得られる白色光の色度が所定の範囲となればよく、各色同数に限られるものではない。さらにその配置はＲ、Ｇ、Ｂの順に限られるものではない。この配置は面全体で均一な白色光が発光されるように、配置される。この各色のＬＥＤ１からの光の出射角度の分布について図３を用いて説明する。図３（ａ）はＬＥＤ１の拡大図であり、図３（ｂ）は各々の出射角度の分布を示す。ここで２はアクリルレンズである。通常、ＬＥＤ１単体ではＲ、Ｇ、ＢのＬＥＤでほぼ同じ出射角度の分布をしている。本発明では図３（ａ）に示すようにＬＥＤ１の出射面側に各色でそれぞれ異なる形状のアクリルレンズ２が設けられている。赤色（Ｒ）のＬＥＤ１Ｒにはドーム状のアクリルレンズ１Ｒが設けられており、その曲率は各色の中で最も大きい。これによりＬＥＤ１Ｒからの光の出射角度は図３（ｂ）に示すように狭くなり、指向性の高い赤色光が発光される。
【００２４】
青色（Ｂ）のＬＥＤ１Ｂの出射面側には平らなアクリルレンズ２Ｂが設けられており、その曲率は各色の中で最も小さい。これによりＬＥＲ１Ｂからの光の出射角度は図３（ｂ）に示すように広くなり、指向性の低い青色光が発光される。また緑色（Ｇ）のＬＥＤ１Ｇのドーム状のアクリルレンズ２Ｇは、その中間の曲率である。従って、赤色光と青色光の中間の指向性を持つ緑色光が発光される。
【００２５】
またこのアクリルレンズ２はＬＥＤ１からの光に対して透過性を示し、空気と屈折率が異なればよい。従ってその材質はアクリルに限られるものではなく、紫外線硬化樹脂、ガラス、石英等でもよい。またその形状はドーム型に限られるものではなく、図３（ｃ）に示すような山型の形状でその頂角を各色で変えてもよい。さらには図示した形状に限られるものではなく、ＬＥＤ１からの光の出射角度の分布を異なるものとすればよい。また各色のＬＥＤ１に異なる屈折率を有する同形状の屈折部材を設けても、ＬＥＤ１からの光の出射角度の分布を各ＬＥＤ１によって異なる分布とすることができる。
【００２６】
上述の出射角度分布を持つ光が導光板４、光学シート７を通過する。従って面状光源装置として、その発光面における視野角毎の輝度の波長依存性は図４（ａ）のようになる。図４は正面における光の輝度を１と規格化し、正面から２０度、４０度、６０度における光の輝度の波長依存性を示したものである。各色のＬＥＤ１からの出射角度は全波長領域において略均一なので、図４（ａ）に示すように、それぞれの角度において各色のＬＥＤ１毎に三段階の輝度を有する視野角毎の輝度の波長依存性となる。すなわち視野角が大きくなるにつれて、短波長側の輝度が長波長側の輝度に比べて相対的に高くなる。
【００２７】
液晶表示装置における視野角毎の出射光の輝度の波長依存性は、図１０に示す液晶パネル６の透過率の視野角特性と図４（ａ）に示す輝度の視野角特性の積となる。液晶表示装置の発色光毎の出射光の輝度の視野角特性は図４（ｂ）に示すようになる。液晶パネル６の透過率の視野角特性と面状光源装置の輝度の視野角特性が打ち消され、液晶表示装置の出射光の輝度は視野角毎に変わっても波長毎の輝度の相対比はほぼ均一となる。従って視野角が変化しても、波長による輝度比の変化が少なく、色調の変化を抑制することができる。これにより、表示特性の優れた液晶表示装置を得ることができる。
【００２８】
発明の実施の形態２．
本実施の形態２にかかる液晶表示装置の面状光源装置も実施の形態１と同様に図１０に示された液晶パネル６における視野角毎の透過率の波長依存性を面状光源装置の視野角毎の出射光の輝度の波長依存性で打ち消し、各視野角で略均一な色調の光を表示する液晶表示装置を提供するものである。
【００２９】
本発明の実施の形態２にかかる液晶表示装置について図５を用いて説明する。図１、図２で付した符号と同一の符号は同一の構成を示すため説明を省略する。実施の形態２にかかる液晶表示装置の構成は実施の形態１の図１、図２で図示した構成と略同一である。また液晶パネル６における視野角毎の透過率の波長依存性も実施の形態１と同様に図１０に示すようである。ＬＥＤ１にアクリルレンズ２が設けられておらず、その代わりに導光板４の端面の形状が異なる。
【００３０】
導光板４の側面には光源としてＲ、Ｇ、ＢのＬＥＤ１が配置されている。このＬＥＤ１に相対する導光板４の端面の形状が図５に示すように導光板４の厚み方向に伸びるプリズム列を設けている。このプリズム列を設けることにより、光の広がりが広くなる。そしてプリズム頂角が鋭角になるほど、光の広がりは広くなる。
【００３１】
ＬＥＤ１Ｒに相対する部分の導光板４の端面形状は、光の広がりが小さくなるように頂角が広いプリズムになっている。またＬＥＤ１Ｂに相対する部分の導光板４の端面形状はプリズム頂角が狭くなっており、ＬＥＤ１Ｇはその中間である。導光板内の発光面側に出射する光の広がりは導光板伝播中の広がりを反映する。
従ってこのようなプリズム列を導光板４の端面に設けることにより、面状光源装置における光の出射角度の分布を波長毎に変えることができる。
【００３２】
このような形状のプリズム列が設けられた導光板４を備える面状光源装置における視野角毎の輝度の波長依存性は実施の形態１と同様に図４（ａ）に示すようになる。従って液晶表示装置における出射光の輝度の波長依存性も同様に図４（ｂ）に示すようになる。従って視野角が変化しても、波長による輝度比の変化が少なく、色調の変化を抑制することができる。これにより、表示特性の優れた液晶表示装置を得ることができる。また導光板４の端面形状は図示したようなプリズム形状に限らず曲面、粗面など光の角度の広がりを変えることができる形状とし、その形状をＬＥＤ毎に変えてもよい。
【００３３】
発明の実施の形態３．
本実施の形態３にかかる液晶表示装置について図６（ａ）を用いて説明する。図１、図２で付した符号と同一の符号は同じ構成を示すため説明を省略する。本実施の形態３にかかる液晶表示装置では導光板４の裏面中央付近に光源としてＲ、Ｇ、ＢのＬＥＤ１が一列に設けられている。このＬＥＤ１からの光は直接又はリフレクター３から反射されプリズム板８に入射される。そしてプリズム板８に入射された光は拡がってプリズム板内を伝播し、入光した面と対向する面から出射する。さらに第２リフレクター９によって反射し、導光板４に入射する。導光板４に入射された光は、実施の形態１と同様に導光板の発光面側から発光され、光学シート（ここでは図示せず）を通過し均一に発光される。
【００３４】
導光板４中を伝播する光の広がり、導光板４の発光面側から発光される光の広がりは、プリズム板伝播中の光の広がりを反映する。なお、プリズム板を長くすること、すなわち光の伝播距離を長くすることにより導光板４入射時の混色が進む。従ってＬＥＤ１が離散的に配置されていることによる輝度ムラを軽減することができ、良好な表示品位を得ることができる。
【００３５】
このプリズム板８においてＬＥＤ１が設けられている側面の形状の拡大図を図６（ｂ）に示す。ここでプリズム板８の側面は部分的にプリズム列を有している。この実施の形態２と同様にプリズム列を設けることにより光の広がりは広くなる。さらに、プリズム頂角が鋭角になるほど、光の広がりは広くなる。そしてそのプリズム列の有無および頂角が相対するＬＥＤ１の発光色によって異なる。ＬＥＤ１Ｒに相対する部分はプリズム列を設けず鏡面となっている。またＬＥＤ１Ｂに相対する部分のプリズム頂角は狭くなっており、ＬＥＤ１Ｇに相対する部分はＬＥＤ１Ｂに相対する部分より広いプリズム頂角を有している。従って各色のＬＥＤ１で角度の広がりが異なる。
【００３６】
上述のプリズム板８を有した面状光源装置から発光される光の視野角毎の輝度の波長依存性は図４（ａ）のようになる。よって実施の形態１、２と同様に液晶表示装置における視野角毎の輝度の波長依存性は図４（ｂ）に示すようになる。従って視野角が変化しても、波長による輝度比の変化が少なく、色調の変化を抑制することができる。これにより、表示特性の優れた液晶表示装置を得ることができる。またプリズム板の側面形状はプリズム形状に限られるものではなく、光の角度広がりを変えることができる形状であればよい。
【００３７】
本発明の実施の形態４．
本発明の実施の形態４にかかる液晶表示装置の構成について図７を用いて説明する。図７は本実施の形態にかかる液晶表示装置の断面図である。図１に付した符号と同一の符号は同一の構成を示すため説明を省略する。ここで１０は蛍光灯、１１はホログラムシートである。
【００３８】
本実施の形態４では光源がＬＥＤから蛍光灯１０になっている点及び導光板４と蛍光灯１０の間にホログラムシート１１が設けられている点で実施の形態１と異なる。蛍光灯１０から発光された白色光はホログラムシート１１を通って、導光板４の側面に入射される。そして実施の形態１と同様に発光される。
【００３９】
本実施の形態４にかかる面状光源装置において導光板４と蛍光灯１０の間にホログラムシート１１が３枚設けられている。それぞれのホログラムシート１１は特定波長の光を拡散する。この３枚のホログラムシート１１は赤、青、緑に対応する波長の光を拡散させる。さらにホログラムシート１１の指向性を赤＞緑＞青とする。すなわち赤色光はその指向性が高く、光の角度分布を狭くする。青色光はその指向性が低く、光の角度分布を広くする。緑色光は赤色光と青色光の中間の指向性、光の角度分布とする。よって導光板４に入射する光の角度分布は図３（ｂ）に示すようになる。これにより実施の形態１と同様に面状光源装置における視野角毎の輝度の波長依存性は図４（ａ）に示すようになる。よって液晶表示装置における視野角毎の輝度の波長依存性は図４（ｂ）に示すようになる。従って視野角が変化しても、波長による輝度比の変化が少なく、色調の変化を抑制することができる。これにより、表示特性の優れた液晶表示装置を得ることができる
【００４０】
上述の実施の形態において光源は蛍光灯に限らず、冷陰極管、ＲＧＢのＬＥＤ等でも同様の効果が得られる。さらにホログラムシートの数は３枚に限らず、特定波長の光を拡散させるために少なくとも１枚あれば、同様の効果が得られる。またホログラムシート１１は導光板４と蛍光灯１０の間に限らず、例えば導光板４と光学シート７の間、光学シート７の中、光学シート７と液晶パネル６の間等に設けてもよい。
【００４１】
発明の実施の形態５．
本発明の実施の形態５にかかる面状光源装置の構成について図８を用いて説明する。図８は面状光源装置の断面図である。図１、図７で付した符号と同一の符号は同一の構成を示すため説明を省略する。１２は図柄板である。
【００４２】
蛍光灯１０から発光された白色光は直接又はリフレクター３によって反射され導光板４の側面に入射する。導光板４内を伝播した光は表示面全体から発光される。また導光板４の発光面と反対側から出射した光は反射シート５で反射され、再度導光板４に入射される。導光板４の表示面側から発光された光は光学シート７を通過する。光学シート７は拡散シート及び２枚のプリズムシートを備えている。これにより垂直方向への指向性の高い光を得ることができる。さらに光学シート７の上にはホログラムシート１１を設けている。ホログラムシート１１は図９に示すように入射された白色光を波長によって異なる出射方向に変化させる。
【００４３】
このホログラムシート１１の上にはさらに任意の図柄が描かれた図柄板１２が設けられている。これにより見る方向によって色調の変化する表示板を得ることができる。本実施の形態にかかる面状光源装置は上述のように見る方向によって色が異なる表示板にも利用することができる。
【００４４】
その他の実施の形態．
上述の実施の形態ではＲ、Ｇ、Ｂ各色の光について出射角度を変えるようにしたが、少なくとも１色の光について出射角度を変えれば同様の効果が得られる。またＲ、Ｇ、Ｂ各色のＬＥＤにおいても各々のＬＥＤでさらに光の出射角度を変えても同様の効果が得られる。また光の出射方向を変えるアクリルレンズ２の形状、導光板４の端面の形状、プリズム板８の形状は図示した形状に限られるものではない。さらにはそれぞれの実施の形態を組み合わせて使用してもよい。
【００４５】
【発明の効果】
本発明によれば、視野角による色調変化が少ない液晶表示装置及びそれに用いる面状光源装置を提供することができる。
【図面の簡単な説明】
【図１】本発明にかかる液晶表示装置の構成を示す断面図である。
【図２】本発明にかかる液晶表示装置の光源部分の平面図である。
【図３】図３（ａ）
本発明の実施の形態１にかかる液晶表示装置におけるＬＥＤの形状を示す拡大図である。
図３（ｂ）
本発明にかかる液晶表示装置におけるＬＥＤからの光の出射角度の分布を示す図である。
図３（ｃ）
本発明の実施の形態１にかかる液晶表示装置におけるＬＥＤの別の形状を示す拡大図である。
【図４】図４（ａ）
本発明にかかる面状光源装置における視野角毎の輝度の波長依存性を示す図である。
図４（ｂ）
本発明にかかる液晶表示装置における視野角毎の輝度の波長依存性を示す図である。
【図５】本発明の実施の形態２にかかる液晶表示装置の導光板端面の形状を示す図である。
【図６】本発明の実施の形態３にかかる液晶表示装置の構成を示す図である。
【図７】本発明の実施の形態４にかかる液晶表示装置の構成を示す断面図である。
【図８】本発明の実施の形態５にかかる液晶表示装置の構成を示す断面図である。
【図９】ホログラムシートにおける光の進む様子を示す図である。
【図１０】液晶パネルにおける視野角毎の透過率の波長依存性を示す図である。
【図１１】図１１（ａ）
従来の面状光源装置における視野角毎の輝度の波長依存性を示す図である。
図１１（ｂ）
従来の液晶表示装置における視野角毎の輝度の波長依存性を示す図である。
【符号の説明】
１　ＬＥＤ
２　アクリルレンズ
３　リフレクター
４　導光板
５　反射シート
６　液晶パネル
７　光学シート
８　プリズム板
９　第２リフレクター
１０　蛍光灯
１１　ホログラムシート
１２　図柄板
【図１】
2004061693.tif 000003
【図２】
2004061693.tif 000004
【図３】
2004061693.tif 000005
【図４】
2004061693.tif 000006
【図５】
2004061693.tif 000007
【図６】
2004061693.tif 000008
【図７】
2004061693.tif 000009
【図８】
2004061693.tif 000010
【図９】
2004061693.tif 000011
【図１０】
2004061693.tif 000012
【図１１】
2004061693.tif 000013